(57)【要約】【課題】サイズが調整できるスケート靴を提供する。【解決手段】靴のベース、靴のヘッド、位置決めユニット及び押しユニットなど要素から構成される。靴のベースには、横方向に沿って延伸してある調整溝を設ける。調整溝の片側に、収容溝は形成される。収容溝の中に、突き出すように嵌め合い部を設ける。靴のヘッドはスライド台座を持ち、滑り自在に、靴のベースに設けられる。その一端に、スライトブロックがある。位置決めユニットは靴のベースの調整溝に設けられる。位置決めユニットの一端に、位置決め溝へ入る位置決め部は設置される。押しユニットは靴のベースの収容溝に設けられる。押しユニットにおいて、収容溝の嵌め合い部の対応箇所に、突き出すように、嵌めブロックを設ける。押しユニットは嵌めブロックを経由して、嵌め合い部に嵌め締める。押しユニットを締めることで、靴のベースと靴のヘッドとのサイズが利便に調整できる。【選択図】図２
0003126834.tif 000002
【実用新案登録請求の範囲】
【請求項１】
サイズ(size)が調整できるスケート(skate)靴であって、主に次の要素を含み、
靴のベース(base)の縦方向に沿って、スライド(slide)溝が設置され、靴のベース(base)の中段に、横方向に沿って延伸するように，調整溝がスライド(slide)溝と交差して設けられ、調整溝の片側に，収容溝が形成され、靴のベース(base)に、収容溝と連通する貫通孔が開けられ、収容溝の中に，嵌め部が突き出すように設けられ、靴のベース(base)の前端に、位置制限ユニット(unit)を取り付け、
靴のヘッド(head)はスライド(slide)台座を持ち、滑り自在に、靴のベース(base)のスライド(slide)溝に配置され、その一端に、スライド  ブロック(slide block)があり、スライド  ブロック(slide block)に、横方向に沿って延伸してある多数の位置制限溝が設置され、靴のヘッド(head)の前端に、位置制限ユニット(unit)を通過する位置制限溝は開けられ、
位置決めユニット(unit)は靴のベース(base)の調整溝に設けられ、位置決めユニット(unit)の一端に、位置決め溝へ入る位置決め部は設置され、
押しユニット(unit)は靴のベース(base)の収容溝に設けられ、その一端は位置決めユニット(unit)に接触され、その別端に、局部が貫通孔の外へ露出してある制御ユニット(unit)は取り付けられ、押しユニット(unit)において、収容溝の嵌め合い部の対応箇所に、突き出すように、嵌めブロック(block)を設け、
そいうかたちで、押しユニット(unit)は嵌めブロック(block)を経由して、嵌め合い部に嵌め締め、押しユニット(unit)を締めるという固定の状態を形成するので、靴のベース(base)と靴のヘッド(head)とのサイズ(size)が利便に調整できるという効果を奏するスケート(skate)靴。 
【請求項２】
請求項1に記載のサイズ(size)が調整できるスケート(skate)靴において、スライド(slide)溝の中には、二つの対応したスライドブロック(slide block)は突き出すように設けられ、滑り案内台座には、二枚のガイドブロック(guide block)の位置に対応するように，二つのガイド(guide)溝を開け、それで、二枚のガイドブロック(guide block)が伸ばして入ることを特徴とするスケート(skate)靴。
【請求項３】
請求項1記載のサイズ(size)が調整できるスケート(skate)靴において、位置決めユニット(unit)は位置決め部との異なる一端に、斜面を持つ押し接触部が形成され、押しユニット(unit)の一端に、傾斜状の押し部は形成され、押し部は押し接触部に接触してあり、位置決めユニット(unit)と調整溝との間に、弾性体を設けることを特徴とするスケート(skate)靴。
【考案の詳細な説明】
【技術分野】
【０００１】
本考案はスケート(skate)靴に係り、特に制御ユニット(unit)の位置決めで、サイズ(size)が調整できるスケート(skate)靴に関するものである。
【背景技術】
【０００２】
従来から、サイズ(size)が調整できる伝統のスケート(skate)靴の調整構造はほぼ、ボルト(bolt)とナット(nut)を相互に合わせるように調整して達成される。
【考案の開示】
【考案が解決しようとする課題】
【０００３】
しかし、その使用は面倒だけでなく、操作の過程も時間がかかって、快速的にサイズ(size)を調整する効果がなかった。
【０００４】
また、操作は面倒だから、別に、ツール(tool)で、ボルト(bolt)を回さなければならない。つまり、調整操作は面倒で、時間の無駄を招くので、相当に不便な設計だと言え、研究、開発、改良しなければならない。
【課題を解決するための手段】
【０００５】
以上の欠陥を解決するために、本考案のサイズ(size)が調整できるスケート(skate)靴は主に、靴のベース(base)、靴のヘッド(head)、位置決めユニット(unit)及び押しユニット(unit)など要素から構成される。靴のベース(base)には、横方向に沿って延伸してある調整溝を設ける。調整溝の片側に、収容溝は形成される。収容溝の中に、突き出すように嵌め合い部を設ける。靴のヘッド(head)はスライド(slide)台座を持ち、滑り自在に、靴のベース(base)に設けられる。その一端に、スライト  ブロック(slide block)がある。位置決めユニット(unit)は靴のベース(base)の調整溝に設けられる。位置決めユニット(unit)の一端に、位置決め溝へ入る位置決め部は設置される。押しユニット(unit)は靴のベース(base)の収容溝に設けられる。押しユニット(unit)において、収容溝の嵌め合い部の対応箇所に、突き出すように、嵌めブロック(block)を設ける。そいうかたちで、押しユニット(unit)は嵌めブロック(block)を経由して、嵌め合い部に嵌め締める。押しユニット(unit)を締めるという固定の状態を形成するので、靴のベース(base)と靴のヘッド(head)とのサイズ(size)が利便に調整できるという効果を奏する。
【考案を実施するための最良の形態】
【０００６】
本案の目的，特徴を遂げて，採用される技術手段及び効果などをご了解なさるために、以下、さらに具体的な実施例に図面をあわせて詳しく説明してみよう。
【０００７】
まずは図１乃至図４を御参照して下さい。靴のベース(base)１０の中段に、横方向に沿って延伸するように、調整溝１１は設けられる。調整溝１１の片側に、L字形の収容溝１２は形成される。収容溝１２の中に、二つの嵌め合い部１８は突き出すように設けられる。靴のベース(base)１０には、収容溝１２に近付く一側に、中空の貫通孔１３は開けられる。靴のベース(base)１０の縦方向に沿って、スライド(slide)溝１４は設置される。スライド(slide)溝１４は調整溝１１と交差するように配置される。靴のベース(base)１０の前端に、位置制限孔１５は設けられる。位置制限孔１５を経由して、位置制限ユニット(unit)１６を取り付ける。つまり、位置制限ユニット(unit)１６を位置決め孔１５に締め付ける。スライド(slide)溝１４の中には、位置制限孔１５に近付く箇所に、二つの対応したガイド  ブロック(guide block)１７は突き出すように設けられる。
【０００８】
靴のヘッド(head)２０は滑り自在に、靴のベース(base)１０のスライド(slide)溝１４に配置され、しかも、軸方向に沿って滑り移動する相対的な関係がある。靴のヘッド(head)２０の前端底部に、滑り案内台座２４を設ける。滑り案内台座２４は滑り自在に、スライド(slide)溝１４に設けられる。また，滑り案内台座２４には、二枚のガイド  ブロック(guide block)１７の位置に対応するように、二つのガイド(guide)溝２５を開ける。それで、二枚のガイド  ブロック(guide
block)１７が伸ばして入る。靴のヘッド(head)２０の後端底部に、スライド  ブロック(slide block)２１がある。スライド  ブロック(slide
block)２１は滑り自在に、スライド(slide)溝１４に設けられる。スライド ブロック(slide block)２１には、多数の横方向の位置決め溝２２が配置される。靴のヘッド(head)２０の前端において、滑り案内台座２４の中に、縦方向に沿って延伸するように、位置制限溝２３は設けられる。位置制限溝２３を経由して、位置制限ユニット(unit)１６は通過して入る。それで、靴のヘッド(head)２０と靴のベース(base)１０との相対的な位置移動量を制限する。
【０００９】
位置決めユニット(unit)３０は靴のベース(base)１０の調整溝１１に設けられ、しかも、調整溝１１の中で、滑り移動する相対的な位置制限関係がある。位置決めユニット(unit)３０は第一端、第二端を持つ。第一端に、押し接触部３１が形成される。押し接触部３１はL型の収容溝１２に配置される。押し接触部３１の片側に、斜面３２が形成される。位置決めユニット(unit)３０の第二端から、位置決め部３３は延伸される。位置決め部３３は調整溝１１に配置されると同時に、靴のヘッド(head)２０の位置決め溝２２まで伸ばして入り、靴のベース(base)１０と靴のヘッド(head)２０との位置決め関係を形成する。位置決め部３３と調整溝１１との間に、弾性体３４も設けられる。弾性体３４は位置決めユニット(unit)３０の本位へ戻るという効果を提供することができる。
【００１０】
押しユニット(unit)４０は靴のベース(base)１０の収容溝１２に設けられ、しかも、位置決めユニット(unit)３０の押し接触部３１に接触される。押しユニット(unit)４０の一端から、傾斜状の押し部４１は形成される。傾斜状の押し部４１は位置決めユニット(unit)３０の斜面３２に接触される。押しユニット(unit)４０において、貫通孔１３の対応する位置に、局部が貫通孔１３の外へ露出してある制御ユニット(unit)４２は取り付けられる。制御ユニット(unit)４２を経由して、ユーザ(user)は押しユニット(unit)４０を操作、作動させ、収容溝１２に沿って移動させる。押しユニット(unit)４０には、収容溝１２の嵌め部１８の位置から、嵌めブロック(block)４６は突き出すように設けられる。嵌めブロック(slide block)４６は選択的に、収容溝１２の嵌め部１８に嵌めるので、きつい固定状態に入る。
【００１１】
制御ユニット(unit)４２の一端に、滑り止め部４３は形成される。ユーザ(user)は滑り止め部４３を押して使用する。制御ユニット(unit)４２には、滑り止め部４３の異なる一端に、結合端４４は形成される。押しユニット(unit)４０には、制御ユニット(unit)４２の相対的な位置に、結合孔４５は形成される。結合端４４は押しユニット(unit)４０の結合孔４５に結合される。本実施例ならば、結合端４４は二枚の弾性の逆様なフックを採用して、押しユニット(unit)４０の結合孔４５に嵌める。
【００１２】
図５、図６を御参照して下さい。それは本案により、サイズ(size)を調整する動作図面である。ユーザ(user)は制御ユニット(unit)４２の滑り止め部４３を押して、靴のベース(base)１０の前端へ向かうときに、制御ユニット(unit)４２は押しユニット(unit)４０を作動させ、収容溝１２の中で、前へ向かうように移動させる。押しユニット(unit)４０の前へ向かう力は傾斜状の押し部４１を経由して、位置決めユニット(unit)３０の斜面３２まで伝送する。それで、位置決めユニット(unit)３０は調整溝１１の一端へ向かうように移動する。
【００１３】
そのときに、弾性体３４は圧縮される。位置決めユニット(unit)３０の位置決め部３３が靴のヘッド(head)２０の底部におけるスライド  ブロック(slide block)２１における位置決め溝２２から脱出してあるので、靴のヘッド(head)２０と靴のベース(base)１０との間は自由の状態に入る。押しユニット(unit)４０の嵌めブロック(block)４６が収容溝１２の嵌め部１８に嵌めるので、押しユニット(unit)４０と収容溝１２との間はきつい固定状態に入る。そして、押しユニット(unit)４０は弾性体３４の反作用力を受けないように押され戻る。ユーザ(user)の指が制御ユニット(unit)４２に押さなくても、靴のヘッド(head)２０及び靴のベース(base)１０はいつも自由の状態を保持する。結局、軽易に、両者の位置が調整できる。つまり、利便に、異なるサイズ(size)を調整する効果に役立つ。
【００１４】
図７、図８を御参照して下さい。それは本案により、靴のヘッド(head)２０のサイズ(size)を調整したあとの状態を示す図面である。ユーザ(user)はサイズ(size)を調整したあとで、再び制御部４２を本位へ押して戻す。位置決め部３３が靴のヘッド(head)２０の位置決め溝２２に伸ばして入るので、位置決め状態に回復し、サイズ(size)の調整効果が出来上がった。
【図面の簡単な説明】
【００１５】
【図１】本考案の立体外観図である。
【図２】本考案の立体分解図である。
【図３】本考案により、サイズ(size)を調整しなかった状態を示す説明面である。
【図４】本考案により、図３の局部的拡大を示す説明図である。
【図５】本考案により、サイズ(size)を調整してある使用状態を示す説明面である。
【図６】本考案により、図５の局部的拡大を示す説明図である。
【図７】本考案により、サイズ(size)を調整した後の状態を示す説明面である。
【図８】本考案により、図７の局部的拡大を示す説明図である。
【符号の説明】
【００１６】
１０  靴のベース（base）
１１  調整溝
１２  収容溝
１３  貫通孔
１４  スライド（slide）溝
１５  位置制限孔
１６  位置制限ユニット(unit)
１７  ガイド  ブロック（slide block)
１８  嵌め合い部
２０  靴のヘッド(head)
２１  スライド  ブロック(slide block)
２２  位置決め溝
２３  位置制限溝
２４  滑り案内台座
２５  ガイド(guide)溝
３０  位置決めユニット(unit)
３１  押し接触部
３２  斜面
３３  位置決め部
３４  弾性体
４０  押しユニット(unit)
４１  押し部
４２  制御ユニット(unit)
４３  滑り止め部
４４  結合端
４５  結合孔
４６  嵌めブロック(block)
【図１】
0003126834.tif 000003
【図２】
0003126834.tif 000004
【図３】
0003126834.tif 000005
【図４】
0003126834.tif 000006
【図５】
0003126834.tif 000007
【図６】
0003126834.tif 000008
【図７】
0003126834.tif 000009
【図８】
0003126834.tif 000010